(57)【要約】 【課題】電磁結合または電磁誘導（以下電磁結合方式という）を利用してアンテナ間でデータ交信を行なうＲＦＩＤ（Ｒａｄｉｏ  Ｆｒｅｑｕｅｎｃｙ−Ｉｄｅｎｔｉｆｉｃａｔｉｏｎ）システムにおいて使用するＲＦＩＤリーダ／ライタは、異なる電磁結合方式に合せて何種類か別々にＲＦＩＤリーダ／ライタを用意する必要がある。 【解決手段】電磁結合または電磁誘導を利用してアンテナ間でデータ交信を行なうＲＦＩＤシステムにおいて使用するＲＦＩＤリーダ／ライタにおいて、複数の異なる電磁結合方式に対してデータ送受信アンテナ部筐体構造を共通にすることによって、１台のＲＦＩＤリーダ／ライタで複数の電磁結合方式のＲＦＩＤタグに対するリード／ライトが可能となる。 【選択図】        図１
2005284455.tif 000002
【特許請求の範囲】
【請求項１】
電磁結合または電磁誘導（以下電磁結合方式という）を利用してアンテナ間でデータ交信を行なうＲＦＩＤシステムにおいて使用するＲＦＩＤリーダ／ライタにおいて、複数の異なる電磁結合方式に対してデータ送受信アンテナ部筐体構造を共通にすることによって、１台のＲＦＩＤリーダ／ライタで複数の異なる電磁結合方式のＲＦＩＤタグに対するリード／ライトが可能となることを特徴とするＲＦＩＤシステム。
【請求項２】
前記電磁結合または電磁誘導（以下電磁結合方式という）を利用してアンテナ間でデータ交信を行なうＲＦＩＤシステムにおいて使用するＲＦＩＤリーダ／ライタにおいて、複数の異なる電磁結合方式に対してデータ送受信アンテナ部筐体構造を共通にすることによって、１台のＲＦＩＤリーダ／ライタで複数の異なる電磁結合方式のＲＦＩＤタグに対するリード／ライトが可能となることを特徴とするＲＦＩＤシステムであって、該ＲＦＩＤリーダ／ライタが無線通信で上位コンピュータシステムと通信することを特徴とするＲＦＩＤシステム。
【請求項３】
前記電磁結合または電磁誘導（以下電磁結合方式という）を利用してアンテナ間でデータ交信を行なうＲＦＩＤシステムにおいて使用するＲＦＩＤリーダ／ライタにおいて、複数の異なる電磁結合方式に対してデータ送受信アンテナ部筐体構造を共通にすることによって、１台のＲＦＩＤリーダ／ライタで複数の異なる電磁結合方式のＲＦＩＤタグに対するリード／ライトが可能となることを特徴とするＲＦＩＤシステムであって、該ＲＦＩＤリーダ／ライタがＵＳＢ接続で上位コンピュータシステムと通信することを特徴とするＲＦＩＤシステム。
【発明の詳細な説明】
【技術分野】
【０００１】
本発明は、電磁結合または電磁誘導（以下電磁結合方式という）を利用してアンテナ間でデータ交信を行なうＲＦＩＤシステムにおいて使用するＲＦＩＤリーダ／ライタのデータ送受信アンテナ部筐体構造を、複数の異なる電磁結合方式に対して共通にし、１台のＲＦＩＤリーダ／ライタで異なる電磁結合方式のＲＦＩＤタグに対するリード／ライトが可能となることを特徴とするＲＦＩＤシステムに関する。
【背景技術】
【０００２】
ＲＦＩＤシステムが普及するに従い、ＲＦＩＤシステムにおけるデータ交信方式としての電磁結合方式が多岐にわたるようになり、異なる電磁結合方式のＲＦＩＤタグに対するデータ交信のニーズが強くなってきている。
【０００３】
しかしながら、現在のＲＦＩＤシステムにおいて、１台のリーダ／ライタで、異なる電磁結合方式のＲＦＩＤタグをリード／ライトできる手段は見当たらない。
【発明の開示】
【発明が解決しようとする課題】
【０００４】
本発明は、上述のごとき実情に鑑みてなされたものであり、１台のＲＦＩＤリーダ／ライタで、異なる電磁結合方式のＲＦＩＤタグをアクセスできる機能を有するＲＦＩＤリーダ／ライタとＲＦＩＤタグからなるＲＦＩＤシステムを提供することを目的とするものである。
【課題を解決するための手段】
【０００５】
本発明は、電磁結合を利用してアンテナ間でデータ交信を行なうＲＦＩＤシステムにおいて、１台のＲＦＩＤリーダ／ライタで、異なる電磁結合方式の複数のＲＦＩＤタグをアクセスできるために、該ＲＦＩＤリーダ／ライタのアンテナ部筐体構造を共通にすることを最も主要な特長とする。
【発明の効果】
【０００６】
本発明によれば、電磁結合を利用してアンテナ間でデータ交信を行なうＲＦＩＤシステムにおいて、該ＲＦＩＤリーダ／ライタのアンテナ部筐体構造を共通にすることによって、他の機能を損なうことなく、異なる電磁結合方式の複数のＲＦＩＤタグを、１台のＲＦＩＤリーダ／ライタでアクセスすることが可能となり、また異なる電磁結合方式の任意のＲＦＩＤタグを自動認識することも可能となる。
【発明を実施するための最良の形態】
【０００７】
異なる電磁結合方式の複数のＲＦＩＤタグを、１台のＲＦＩＤリーダ／ライタでアクセスするという目的を、電磁結合を利用してアンテナ間でデータ交信を行なうＲＦＩＤシステムにおいて、該ＲＦＩＤリーダ／ライタのアンテナ部筐体構造を共通にすることによって、他の機能を損なわずに実現した。
【０００８】
以下、本発明の実施形態について、図面を用いて説明する。
【実施例１】
【０００９】
本発明の一実施例について、図１乃至図４を参照して説明する。図１は、本発明のＲＦＩＤシステム機器構成概要図であり、１はＲＦＩＤタグであり、２はＲＦＩＤリーダ／ライタであり、３は上位コンピュータである。図２は、本発明のＲＦＩＤシステムにおけるデータ伝送系の基本ブロック図であり、２はＲＦＩＤリーダ／ライタであり、２１はＲＦＩＤリーダ／ライタのアンテナ部であり、１はＲＦＩＤタグであり、１１はＲＦＩＤタグのアンテナ部である。図３乃至図４は、本発明の一実施例に係るＲＦＩＤシステムにおけるＲＦＩＤリーダ／ライタの制御方法を示す図である。
【００１０】
図２に示すように、電磁結合方式を利用してアンテナ間でデータ交信を行なうＲＦＩＤシステムは、ＲＦＩＤリーダ／ライタ用アンテナ部と、データ送信する符号化回路やデータ受信する復号化回路や電力伝送回路およびそれらを制御する回路からなるＲＦＩＤリーダ／ライタと、ＲＦＩＤタグ用アンテナ部と、データ送信する符号化回路やデータ受信する復号化回路や誘起された電源部回路およびそれらを制御する回路とメモリーからなる種々の形状のＲＦＩＤタグとからなり、ＲＦＩＤリーダ／ライタ２に内蔵されたアンテナを一定の距離までかつ一定の角度で、ＲＦＩＤタグ１に内蔵されたアンテナに接近させることによって、電磁結合方式を利用してアンテナ間でデータ交信を行なうＲＦＩＤシステムにおけるデータの送受信が可能となる。
【００１１】
ＲＦＩＤリーダ／ライタ２は、その先端部にアンテナ収納部２１を有し、ＲＦＩＤリーダ／ライタのアンテナ収納部２１には、異なる電磁結合方式でのデータ送受信に対応するアンテナが内蔵されている。
【００１２】
ＲＦＩＤタグ１は、その任意の個所にアンテナ収納部１１を有し、ＲＦＩＤタグのアンテナ収納部１１には、該ＲＦＩＤリーダ／ライタのアンテナに対応するアンテナが内蔵されている。
【００１３】
ＲＦＩＤリーダ／ライタのアンテナ部は、電磁結合用コイルおよびコアからなり、異なる搬送周波数の変復調回路信号を電気的スイッチにより切替えることにより、該ＲＦＩＤリーダ／ライタのアンテナ部に異なる搬送周波数の信号が供給できるようになっている。
【００１４】
コアに使用される材料としは、フェライト、アモルファス合金、パーマロイ、電磁鋼などが考えられるが、その形状および寸法は、通信距離や使用環境によって決定されるものであり、本発明を実現するために制約されるものではない。
【００１５】
そして、最初に送受信要求のあったＲＦＩＤタグの搬送周波数が実際のＲＦＩＤタグの搬送周波数と異なる場合は、自動的に他の搬送周波数に切替えることによって、操作者が読取り対象タグの電磁結合方式を意識することなく、ＲＦＩＤタグを自動認識することが可能となる。
【００１６】
ＲＦＩＤリーダ／ライタのアンテナ部の構造としては、図３のように、１種類のコアに１種類の巻線仕様で、複数の搬送周波数に対応するために、共振条件の最適化設計が施されている。また、図４のように、１種類のコアに複数の巻線仕様で、複数の搬送周波数に対応するために、相互インダクタンスを考慮した共振条件の最適化設計を施すことによっても実現できる。さらに、複数のコアと複数の巻線仕様の組合せのアンテナを同じ筐体に実装しても同じ結果を得ることができる。
【００１７】
以上のように、複数の変復調信号を電気的スイッチで切替えることにより、１台のＲＦＩＤリーダ／ライタで、異なる電磁結合方式のＲＦＩＤタグをアクセスできる機能を有するＲＦＩＤリーダ／ライタとＲＦＩＤタグからなるＲＦＩＤシステムを提供するという課題を解決することができる。
【産業上の利用可能性】
【００１８】
本発明の活用例としては、設備の保守点検作業時などにおいて、現物管理目的のＩＤ番号のみの低価格ＲＦＩＤタグと利用環境状況などを把握する目的のセンサー付ＲＦＩＤタグの組み合わせのように、電磁結合方式の異なる複数のＲＦＩＤタグを、１台のＲＦＩＤリーダライタでアクセスする場合に活用できる。
【図面の簡単な説明】
【００１９】
【図１】本発明のＲＦＩＤシステムのシステム機器構成概要図である
【図２】本発明のデータ伝送系の基本ブロック図である
【図３】本発明のＲＦＩＤリーダ／ライタの制御方法の一実施例を示す図である
【図４】本発明のＲＦＩＤリーダ／ライタの制御方法の一実施例を示す図である
【符号の説明】
【００２０】
１：ＲＦＩＤタグ
１１：ＲＦＩＤタグのアンテナ収納部
２：ＲＦＩＤリーダ／ライタ
２１：ＲＦＩＤリーダ／ライタのアンテナ収納部
３：上位コンピュータ
【図１】
2005284455.tif 000003
【図２】
2005284455.tif 000004
【図３】
2005284455.tif 000005
【図４】
2005284455.tif 000006